(57)【特許請求の範囲】
【請求項１】
回転軸と、
前記回転軸に固定された複数の羽根車と、
前記複数の羽根車を収容するポンプケーシングとを備え、
前記ポンプケーシングは、吸込ポートを有する吸込ケーシングと、吐出しポートを有する吐出しケーシングと、前記吸込ケーシングと前記吐出しケーシングとの間に配置された中間ケーシングとを有し、
前記吸込ケーシングは、前記吸込ポートが上、または右、または左を向いた状態で前記中間ケーシングに取り付けることが可能に構成されており、
前記吸込ケーシングの底面、右側面、および左側面は、前記回転軸から同じ距離に位置しており、
前記吐出しケーシングは、前記吐出しポートが上、または右、または左を向いた状態で前記中間ケーシングに取り付けることが可能に構成されており、
前記吐出しケーシングの底面、右側面、および左側面は、前記回転軸から同じ距離に位置しており、
前記吸込ケーシングおよび前記吐出しケーシングのそれぞれは、前記回転軸の周方向において等間隔に設けられた第１のボルト台座、第２のボルト台座、第３のボルト台座、および第４のボルト台座を有し、
前記第１のボルト台座および前記第４のボルト台座のそれぞれは、縦に延びる平坦部を有し、前記第２のボルト台座および前記第３のボルト台座のそれぞれは、縦に延びる平坦部と水平に延びる平坦部とを有し、
前記第１のボルト台座および前記第２のボルト台座の前記縦に延びる平坦部は、前記吸込ケーシングおよび前記吐出しケーシングの前記右側面を構成し、
前記第３のボルト台座および前記第４のボルト台座の前記縦に延びる平坦部は、前記吸込ケーシングおよび前記吐出しケーシングの前記左側面を構成し、
前記第２のボルト台座および前記第３のボルト台座の前記水平に延びる平坦部は、前記吸込ケーシングおよび前記吐出しケーシングの前記底面を構成することを特徴とする多段ポンプ。
【請求項２】
前記吸込ケーシングおよび前記吐出しケーシングのそれぞれの前記底面、前記右側面、および前記左側面のうちのいずれかには、脚部が着脱可能に固定されていることを特徴とする請求項１に記載の多段ポンプ。
【請求項３】
前記多段ポンプは、
前記回転軸に作用するスラスト力を支持するためのバランス機構と、
前記バランス機構が収容されるバランス室と、
前記バランス室内の液体を前記吸込ケーシングに導くバランス配管とをさらに備え、
前記吸込ケーシングの両側には、前記バランス配管が接続される第１の吸込側接続ポートおよび第２の吸込側接続ポートが設けられていることを特徴とする請求項１または２に記載の多段ポンプ。
【請求項４】
前記吐出しケーシングの両側には、前記バランス配管が接続される第１の吐出し側接続ポートおよび第２の吐出し側接続ポートが設けられていることを特徴とする請求項３に記載の多段ポンプ。
【発明の詳細な説明】
【技術分野】
【０００１】
本発明は、輪切形多段ディフューザポンプ（以下、単に多段ポンプという）に関し、特に多段ポンプのケーシング構造に関するものである。
【背景技術】
【０００２】
多段ポンプは、清水や海水などの様々な液体の移送に使用され、様々な場所で使用される。横形の多段ポンプは、吸込ポートおよび吐出しポートが上を向いた状態で設置される場合がほとんどである（例えば、特許文献１参照）。しかしながら、設置場所によっては、多段ポンプに接続される配管が水平に配置されることがある。このような場所では、配管接続の観点から、側部に吸込ポートおよび／または吐出しポートを持つ多段ポンプが好ましい。そこで、このような客先仕様に応えるために、様々な形式の吸込ケーシングおよび吐出しケーシングが製造され、必要に応じてポンプに組み込まれる。
【０００３】
図１乃至図３は、従来の吸込ケーシングを示す模式図である。図１に示す吸込ケーシング１００はその上部に吸込ポート１０１を有し、図２に示す吸込ケーシング１００はその右側部に吸込ポート１０１を有し、図３に示す吸込ケーシング１００はその左側部に吸込ポート１０１を有している。図１乃至図３に示すように、吸込ケーシング１００の下部には脚部１０２が一体に形成されている。
【０００４】
しかしながら、図１，図２，図３に示す吸込ケーシングを製造するためには、それぞれ個別の木型あるいは金型が必要となり、製造コストが高くなってしまう。さらに、これら複数種の吸込ケーシングの製造に伴って、在庫管理が複雑になり、客先への納期が遅れることもある。
【先行技術文献】
【特許文献】
【０００５】
【特許文献１】特開２０００−１３０４００号公報
【特許文献２】特開２００１−２４１４００号公報
【発明の概要】
【発明が解決しようとする課題】
【０００６】
本発明は、上述した従来の問題点に鑑みてなされたものであり、吸込ケーシングおよび／または吐出しケーシングを交換することなく、吸込ポートおよび／または吐出しポートの位置を容易に変えることができる多段ポンプを提供することを目的とする。
【課題を解決するための手段】
【０００７】
上述した目的を達成するために、本発明の一態様は、回転軸と、前記回転軸に固定された複数の羽根車と、前記複数の羽根車を収容するポンプケーシングとを備え、前記ポンプケーシングは、吸込ポートを有する吸込ケーシングと、吐出しポートを有する吐出しケーシングと、前記吸込ケーシングと前記吐出しケーシングとの間に配置された中間ケーシングとを有し、前記吸込ケーシングは、前記吸込ポートが上、または右、または左を向いた状態で前記中間ケーシングに取り付けることが可能に構成されており、前記吸込ケーシングの底面、右側面、および左側面は、前記回転軸から同じ距離に位置しており、前記吐出しケーシングは、前記吐出しポートが上、または右、または左を向いた状態で前記中間ケーシングに取り付けることが可能に構成されており、前記吐出しケーシングの底面、右側面、および左側面は、前記回転軸から同じ距離に位置しており、前記吸込ケーシングおよび前記吐出しケーシングのそれぞれは、前記回転軸の周方向において等間隔に設けられた第１のボルト台座、第２のボルト台座、第３のボルト台座、および第４のボルト台座を有し、前記第１のボルト台座および前記第４のボルト台座のそれぞれは、縦に延びる平坦部を有し、前記第２のボルト台座および前記第３のボルト台座のそれぞれは、縦に延びる平坦部と水平に延びる平坦部とを有し、前記第１のボルト台座および前記第２のボルト台座の前記縦に延びる平坦部は、前記吸込ケーシングおよび前記吐出しケーシングの前記右側面を構成し、前記第３のボルト台座および前記第４のボルト台座の前記縦に延びる平坦部は、前記吸込ケーシングおよび前記吐出しケーシングの前記左側面を構成し、前記第２のボルト台座および前記第３のボルト台座の前記水平に延びる平坦部は、前記吸込ケーシングおよび前記吐出しケーシングの前記底面を構成することを特徴とする多段ポンプである。
【０００８】
本発明の好ましい態様は、前記吸込ケーシングおよび前記吐出しケーシングのそれぞれの前記底面、前記右側面、および前記左側面のうちのいずれかには、脚部が着脱可能に固定されていることを特徴とする。
【０００９】
本発明の好ましい態様は、前記多段ポンプは、前記回転軸に作用するスラスト力を支持するためのバランス機構と、前記バランス機構が収容されるバランス室と、前記バランス室内の液体を前記吸込ケーシングに導くバランス配管とをさらに備え、前記吸込ケーシングの両側には、前記バランス配管が接続される第１の吸込側接続ポートおよび第２の吸込側接続ポートが設けられていることを特徴とする。
本発明の好ましい態様は、前記吐出しケーシングの両側には、前記バランス配管が接続される第１の吐出し側接続ポートおよび第２の吐出し側接続ポートが設けられていることを特徴とする。
【発明の効果】
【００１１】
本発明によれば、多段ポンプに接続される配管の配置に合わせて、吸込ポートおよび／または吐出しポートを上向き、右向き、または左向きとすることができる。したがって、複数種の吸込ケーシングおよび／または吐出しケーシングを用意する必要がなく、製造コストを下げることができる。
【図面の簡単な説明】
【００１２】
【図１】上部に吸込ポートを有する従来の吸込ケーシングを示す図である。
【図２】右側部に吸込ポートを有する従来の吸込ケーシングを示す図である。
【図３】左側部に吸込ポートを有する従来の吸込ケーシングを示す図である。
【図４】本発明の一実施形態に係る輪切形多段ディフューザポンプを示す断面図である。
【図５】吸込ケーシングを示す図である。
【図６】吸込ポートが右を向いた状態の吸込ケーシングを示す図である。
【図７】吸込ポートが左を向いた状態の吸込ケーシングを示す図である。
【図８】脚部が固定された吸込ケーシングを示す図である。
【図９】吸込ポートが右を向いた状態の吸込ケーシングを示す図である。
【図１０】吸込ポートが左を向いた状態の吸込ケーシングを示す図である。
【図１１】吐出しケーシングを示す図である。
【図１２】脚部が固定された吐出しケーシングを示す図である。
【図１３】吐出しポートが右を向いた状態の吐出しケーシングを示す図である。
【図１４】吐出しポートが左を向いた状態の吐出しケーシングを示す図である。
【図１５】図１５（ａ）は、吸込ポートおよび吐出しポートが上を向いた多段ポンプの側面図であり、図１５（ｂ）は、図１５（ａ）の矢印Ａで示す方向から見た図であり、図１５（ｃ）は、図１５（ａ）の矢印Ｂで示す方向から見た図である。
【図１６】図１６（ａ）は、吸込ポートが右を向き、吐出しポートが上を向いた多段ポンプの側面図であり、図１６（ｂ）は、図１６（ａ）の矢印Ｃで示す方向から見た図であり、図１６（ｃ）は、図１６（ａ）の矢印Ｄで示す方向から見た図である。
【図１７】吸込ケーシングの他の例を示す図である。
【図１８】吸込ポートが右を向いた状態の吸込ケーシングを示す図である。
【図１９】吸込ポートが左を向いた状態の吸込ケーシングを示す図である。
【図２０】吐出しケーシングの他の例を示す図である。
【図２１】吐出しポートが右を向いた状態の吐出しケーシングを示す図である。
【図２２】吐出しポートが左を向いた状態の吐出しケーシングを示す図である。
【図２３】図２３（ａ）は、吸込ポートおよび吐出しポートが上を向いた、８本の通しボルトを有する多段ポンプの側面図であり、図２３（ｂ）は、図２３（ａ）の矢印Ｅで示す方向から見た図であり、図２３（ｃ）は、図２３（ａ）の矢印Ｆで示す方向から見た図である。
【図２４】図２４（ａ）は、吸込ポートが右を向き、吐出しポートが上を向いた多段ポンプの側面図であり、図２４（ｂ）は、図２４（ａ）の矢印Ｇで示す方向から見た図であり、図２４（ｃ）は、図２４（ａ）の矢印Ｈで示す方向から見た図である。
【発明を実施するための形態】
【００１３】
以下、本発明の実施形態について図面を参照して説明する。
図４は、本発明の一実施形態に係る多段ポンプを示す断面図である。図４に示すように、この多段ポンプは、水平に延びる回転軸１と、回転軸１に固定された複数の羽根車２と、これら羽根車２を収容するポンプケーシング３とを備えている。回転軸１は、軸受９，９により回転自在に支持されている。回転軸１の一端は、モータなどの駆動源に連結され、この駆動源により回転軸１および羽根車２が回転するようになっている。
【００１４】
ポンプケーシング３は、吸込ポート１１を有する吸込ケーシング１０と、吐出しポート３１を有する吐出しケーシング３０と、吸込ケーシング１０と吐出しケーシング３０との間に配置された中間ケーシング５０とを有している。中間ケーシング５０は、複数の環状のケーシングピース５０ａが軸方向に積み重なった構造を有している。各羽根車２の径方向外側には、ディフューザ４が配置されている。各ケーシングピース５０ａ内には、１組の羽根車２およびディフューザ４が配置されている。吸込ケーシング１０、中間ケーシング５０、および吐出しケーシング３０は、通しボルト６およびナット７によって互いに固定されている。
【００１５】
この多段ポンプは、羽根車２の段数を変更することが可能に構成されている。羽根車２の段数を増やす場合は、所望の数の羽根車およびこれら羽根車に対応したディフューザおよびケーシングピースを多段ポンプに追加する。一方、羽根車２の段数を減らす場合は、所望の数の羽根車およびこれら羽根車に対応したディフューザおよびケーシングピースを多段ポンプから取り外す。このように、本多段ポンプは、その用途に応じて所望の段数にすることができる。
【００１６】
回転軸１は、吸込ケーシング１０および吐出しケーシング３０を貫通して延びている。吸込ケーシング１０および吐出しケーシング３０の外側には、軸封機構５５，５５がそれぞれ設けられている。軸封機構５５，５５としては、メカニカルシールやグランドパッキンなどが使用される。軸受９，９は、それぞれ軸受ケーシング６５，６５に収容されている。これら軸受ケーシング６５，６５には、それぞれ軸受カバー６７，６７がボルトにより固定されている。各軸受ケーシング６５内には潤滑オイルが充填されており、この潤滑オイルは、冷却パイプ６６によって冷却されるようになっている。
【００１７】
吐出しケーシング３０には、バランス機構７０が設けられている。このバランス機構７０は、回転軸１と一体に回転するバランスディスク７１と、このバランスディスク７１に対向して配置されたバランスディスクシート７２とを有している。このバランス機構７０は、羽根車２の吸込側と吐出し側の圧力差に起因して発生するスラスト力を支持することで、回転軸１に作用するスラスト力をバランスさせる機能を有する。バランス機構７０は、バランス室７３内に配置されている。羽根車２によって昇圧された液体は、バランスディスク７１とバランスディスクシート７２との間の微小な隙間を通り、バランス室７３に流入するようになっている。
【００１８】
吸込ケーシング１０の内部には、吸込ポート１１に連通する吸込ボリュート２０と、多段の羽根車２のうちの初段羽根車に隣接した側室２５が形成されている。側室２５には、初段羽根車によって昇圧された液体の一部が流入するようになっている。バランス室７３と、吸込ボリュート２０または側室２５とは、バランス配管７５によって連結されている。したがって、バランス室７３内の圧力と、吸込ボリュート２０または側室２５内の圧力とは、実質的に同一となっている。
【００１９】
図５は、吸込ケーシング１０を示す図である。吸込ケーシング１０は、吸込流路が内部に形成された吸込ポート１１と、通しボルト６の挿入孔１２Ａ，１３Ａ，１４Ａ，１５Ａが形成された４つのボルト台座（第１のボルト台座１２、第２のボルト台座１３、第３のボルト台座１４、第４のボルト台座１５）とを有している。これら４つのボルト台座１２，１３，１４，１５は、回転軸１の周方向において等間隔に設けられている。
【００２０】
第１のボルト台座１２には縦に延びる平坦部１２ａが形成されており、第２のボルト台座１３には縦に延びる平坦部１３ａおよび水平に延びる平坦部１３ｂが形成されている。同様に、第３のボルト台座１４には縦に延びる平坦部１４ａおよび水平に延びる平坦部１４ｂが形成されており、第４のボルト台座１５には縦に延びる平坦部１５ａが形成されている。第１のボルト台座１２および第２のボルト台座１３の平坦部１２ａ，１３ａは、吸込ケーシング１０の右側面を構成し、第３のボルト台座１４および第４のボルト台座１５の平坦部１４ａ，１５ａは、吸込ケーシング１０の左側面を構成し、第２のボルト台座１３および第３のボルト台座１４の平坦部１３ｂ，１４ｂは、吸込ケーシング１０の底面を構成する。
【００２１】
ボルト台座１２，１３，１４，１５は、互いに同じ形状を有しており、吸込ケーシング１０の底面、右側面、および左側面と回転軸１の軸心Ｏからの距離ｄは、同一である。
【００２２】
吸込ケーシング１０および吐出しケーシング３０は、中間ケーシング５０に着脱可能に取り付けられている。すなわち、吸込ケーシング１０および吐出しケーシング３０は、通しボルト６およびナット７を取り外すことにより中間ケーシング５０から切り離すことができる。さらに、吸込ケーシング１０は、中間ケーシング５０に対して右側および左側に９０度回転させた状態で、中間ケーシング５０に取り付けることが可能となっている。したがって、吸込ケーシング１０を右側または左側に９０度回転させた状態で中間ケーシング５０に取り付けることにより、吸込ポート１１の位置を変えることができる。
【００２３】
図５に示す吸込ケーシング１０では、吸込ポート１１は上を向いているが、図６および図７に示す吸込ケーシング１０では、吸込ポート１１は側方を向いている。より具体的には、図６では吸込ポート１１は右を向いており、この場合は吸込ケーシング１０の右側面が底面として機能する。図７では吸込ポート１１は左を向いており、この場合は吸込ケーシング１０の左側面が底面として機能する。吸込ケーシング１０の底面、左側面、および右側面と回転軸１の軸心からの距離は同一であるので、図５乃至図７に示すいずれの場合でも、回転軸１の高さに変化はない。
【００２４】
吸込ケーシング１０の両側には第１の吸込側接続ポート１６および第２の吸込側接続ポート１７が形成されている。これら吸込側接続ポート１６，１７は吸込ポート１１の中心線に関して対称的に配置されている。第１の吸込側接続ポート１６は吸込ボリュート２０に連通しており、第２の吸込側接続ポート１７は側室２５に連通している。バランス配管７５は、第１の吸込側接続ポート１６または第２の吸込側接続ポート１７に選択的に接続することができるようになっている。したがって、吸込ポート１１の向きにかかわらず、バランス配管７５を吸込ケーシング１０に接続することができる。
【００２５】
図５に示すように、吸込ケーシング１０の右側面にはねじ孔１２ｓ，１３ｓが形成され、底面にはねじ孔１３ｔ，１４ｔが形成され、左側面にはねじ孔１４ｓ，１５ｓが形成されている。ねじ孔１２ｓ，１３ｓ、ねじ孔１３ｔ，１４ｔ、およびねじ孔１４ｓ，１５ｓの回転軸１に対する相対位置は同じである。図８に示すように、吸込ケーシング１０には脚部８０が締結ボルト８５によって固定されている。締結ボルト８５はねじ孔１３ｔ，１４ｔに螺合されている。脚部８０は、締結ボルト８５を介して着脱可能に吸込ケーシング１０に取り付けられている。
【００２６】
図８に示す吸込ケーシング１０では、吸込ポート１１が上を向いており、この場合は、脚部８０は底面に固定される。図９に示す吸込ケーシング１０では、吸込ポート１１が右を向いている。この場合は、脚部８０は右側面に固定され、締結ボルト８５はねじ孔１２ｓ，１３ｓに螺合されている。図１０に示す吸込ケーシング１０では、吸込ポート１１が左を向いている。この場合は、脚部８０は左側面に固定され、締結ボルト８５はねじ孔１４ｓ，１５ｓに螺合されている。
【００２７】
このように、吸込ポート１１の位置に従って、脚部８０を底面、右側面、または左側面に取り付けることができる。脚部８０には、締結ボルトが挿入される通孔８０ａが形成されており、締結ボルトによって吸込ケーシング１０を共通ベースに固定することができる。
【００２８】
吸込ケーシング１０を右または左に回転させた状態で、吸込ケーシング１０を中間ケーシング５０に連結することができるので、吸込ポート１１を右または左に向けることができる。したがって、多段ポンプに接続される配管の配置に適した位置に吸込ポート１１を向けることができる。また、吸込ポートの位置が異なる複数種の吸込ケーシングを用意しておく必要がないので、多段ポンプのコストを下げることができる。
【００２９】
吐出しケーシング３０も、吸込ケーシング１０と同様の構成を有している。図１１は、吐出しケーシング３０を示す図である。吐出しケーシング３０は、吐出し流路が内部に形成された吐出しポート３１と、通しボルト６の挿入孔３２Ａ，３３Ａ，３４Ａ，３５Ａが形成された４つのボルト台座３２，３３，３４，３５とを有している。これら４つのボルト台座３２，３３，３４，３５は、回転軸１の周方向において等間隔に設けられている。
【００３０】
第１のボルト台座３２には縦に延びる平坦部３２ａが形成されており、第２のボルト台座３３には縦に延びる平坦部３３ａおよび水平に延びる平坦部３３ｂが形成されている。同様に、第３のボルト台座３４には縦に延びる平坦部３４ａおよび水平に延びる平坦部３４ｂが形成されており、第４のボルト台座３５には縦に延びる平坦部３５ａが形成されている。第１のボルト台座３２および第２のボルト台座３３の平坦部３２ａ，３３ａは、吐出しケーシング３０の右側面を構成し、第３のボルト台座３４および第４のボルト台座３５の平坦部３４ａ，３５ａは、吐出しケーシング３０の左側面を構成し、第２のボルト台座３３および第３のボルト台座３４の平坦部３３ｂ，３４ｂは、吐出しケーシング３０の底面を構成する。
【００３１】
ボルト台座３２，３３，３４，３５は、互いに同じ形状を有しており、吐出しケーシング３０の底面、右側面、および左側面と回転軸１の軸心Ｏからの距離ｄは、同一である。
【００３２】
吸込ケーシング１０と同様に、吐出しケーシング３０は、中間ケーシング５０に対して右側および左側に９０度回転させた状態で、中間ケーシング５０に取り付けることが可能となっている。したがって、吐出しケーシング３０を右側または左側に９０度回転させた状態で中間ケーシング５０に取り付けることにより、吐出しポート３１の位置を変えることができる。
【００３３】
吐出ケーシング３０には、上述したバランス室７３が形成されている。吐出しケーシング３０の両側には第１の吐出し側接続ポート３６および第２の吐出し側接続ポート３７が形成されている。これら吐出し側接続ポート３６，３７は吐出しポート３１の中心線に関して対称的に配置されている。第１の吐出し側接続ポート３６および第２の吐出し側接続ポート３７は、いずれもバランス室７３に連通している。バランス配管７５は、第１の吐出し側接続ポート３６または第２の吐出し側接続ポート３７に選択的に接続することができるようになっている。したがって、吐出しポート３１の向きにかかわらず、バランス配管７５を吐出しケーシング３０に接続することができる。
【００３４】
第１の吸込側接続ポート１６と第１の吐出し側接続ポート３６は、多段ポンプの同じ側に設けられており、第２の吸込側接続ポート１７と第２の吐出し側接続ポート３７は反対側に設けられている。通常は、第１の吸込側接続ポート１６と第１の吐出し側接続ポート３６、または第２の吸込側接続ポート１７と第２の吐出し側接続ポート３７がバランス配管７５によって連結されるが、客先仕様によってバランス配管７５を自在に連結することが可能である。このように、多段ポンプの両側に吸込側接続ポート１６，１７と吐出し側接続ポート３６，３７を設けることで、客先仕様への対応が良くなり、結果的に簡単な構造の多段ポンプを提供することができる。
【００３５】
図１１に示すように、吐出しケーシング３０の右側面にはねじ孔３２ｓ，３３ｓが形成され、底面にはねじ孔３３ｔ，３４ｔが形成され、左側面にはねじ孔３４ｓ，３５ｓが形成されている。ねじ孔３２ｓ，３３ｓ、ねじ孔３３ｔ，３４ｔ、およびねじ孔３４ｓ，３５ｓの回転軸１に対する相対位置は同じである。図１２に示すように、吐出しケーシング３０には脚部８１が締結ボルト８５によって固定されている。締結ボルト８５はねじ孔３３ｔ，３４ｔに螺合されている。脚部８１は、締結ボルト８５を介して着脱可能に吐出しケーシング３０に取り付けられている。
【００３６】
図１２に示す吐出しケーシング３０では、吐出しポート３１が上を向いており、この場合は、脚部８１は底面に固定される。図１３に示す吐出しケーシング３０では、吐出しポート３１が右を向いている。この場合は、脚部８１は右側面に固定され、締結ボルト８５はねじ孔３２ｓ，３３ｓに螺合されている。図１４に示す吐出しケーシング３０では、吐出しポート３１が左を向いている。この場合は、脚部８１は左側面に固定され、締結ボルト８５はねじ孔３４ｓ，３５ｓに螺合されている。脚部８１には、締結ボルトが挿入される通孔８１ａが形成されており、締結ボルトによって吐出しケーシング３０を共通ベースに固定することができる。
【００３７】
図１５（ａ）は、吸込ポート１１および吐出しポート３１が上を向いた多段ポンプの側面図であり、図１５（ｂ）は、図１５（ａ）の矢印Ａで示す方向から見た図であり、図１５（ｃ）は、図１５（ａ）の矢印Ｂで示す方向から見た図である。図１６（ａ）は、吸込ポート１１が右を向き、吐出しポート３１が上を向いた多段ポンプの側面図であり、図１６（ｂ）は、図１６（ａ）の矢印Ｃで示す方向から見た図であり、図１６（ｃ）は、図１６（ａ）の矢印Ｄで示す方向から見た図である。
【００３８】
図１５（ａ）乃至図１５（ｃ）および図１６（ａ）乃至図１６（ｃ）に示すように、吸込ケーシング１０を回転軸１を中心に回転させることができるので、吸込ケーシング１０を交換することなく、吸込ポート１１の位置を変えることができる。したがって、多段ポンプに接続される配管の配置に合わせて、吸込ポート１１の位置を最適にすることができる。なお、図示しないが、吐出しケーシング３０を回転軸１を中心に回転させることにより、吐出しポート３１の位置を変えることも可能である。
【００３９】
上述した例では、４本の通しボルト６が使用されているが、羽根車２の径がある程度大きい場合は、８本の通しボルトが使用される。図１７は、吸込ケーシング１０の他の例を示す図である。なお、図５に示す要素と同一のものについては同一の符号を付して、その重複する説明を省略する。
【００４０】
図１７に示すように、吸込ケーシング１０には、通しボルト６が挿入される８つの挿入孔１２Ａ，１２Ｂ，１３Ａ，１３Ｂ，１４Ａ，１４Ｂ，１５Ａ，１５Ｂが形成されている。ボルト台座１２には、締結ボルトが挿入される通孔１２ｖが形成され、ボルト台座１３には、締結ボルトが挿入される通孔１３ｖ，１３ｕが形成され、ボルト台座１４には、締結ボルトが挿入される通孔１４ｖ，１４ｕが形成され、ボルト台座１５には、締結ボルトが挿入される通孔１５ｖが形成されている。このタイプの吸込ケーシング１０には脚部は取り付けられず、吸込ケーシング１０が締結ボルトにより共通ベースに直接固定される。
【００４１】
図１８は、吸込ポート１１が右を向いた状態の吸込ケーシング１０を示す図であり、図１９は、吸込ポート１１が左を向いた状態の吸込ケーシング１０を示す図である。この例においても、吸込ケーシング１０を右または左に９０度回転させることにより、吸込ポート１１の位置を変更することができる。
【００４２】
図２０は、吐出しケーシング３０の他の例を示す図である。なお、図１１に示す要素と同一のものについては同一の符号を付して、その重複する説明を省略する。図２０に示すように、吐出しケーシング３０には、通しボルト６が挿入される８つの挿入孔３２Ａ，３２Ｂ，３３Ａ，３３Ｂ，３４Ａ，３４Ｂ，３５Ａ，３５Ｂが形成されている。ボルト台座３２には、締結ボルトが挿入される通孔３２ｖが形成され、ボルト台座３３には、締結ボルトが挿入される通孔３３ｖ，３３ｕが形成され、ボルト台座３４には、締結ボルトが挿入される通孔３４ｖ，３４ｕが形成され、ボルト台座３５には、締結ボルトが挿入される通孔３５ｖが形成されている。このタイプの吐出しケーシング３０には脚部は取り付けられず、吐出しケーシング３０が締結ボルトにより共通ベースに直接固定される。
【００４３】
図２１は、吐出しポート３１が右を向いた状態の吐出しケーシング３０を示す図であり、図２２は、吐出しポート３１が左を向いた状態の吐出しケーシング３０を示す図である。この例においても、吐出しケーシング３０を右または左に９０度回転させることにより、吐出しポート３１の位置を変更することができる。
【００４４】
図２３（ａ）は、吸込ポート１１および吐出しポート３１が上を向いた、８本の通しボルト６を有する多段ポンプの側面図であり、図２３（ｂ）は、図２３（ａ）の矢印Ｅで示す方向から見た図であり、図２３（ｃ）は、図２３（ａ）の矢印Ｆで示す方向から見た図である。図２４（ａ）は、吸込ポート１１が右を向き、吐出しポート３１が上を向いた多段ポンプの側面図であり、図２４（ｂ）は、図２４（ａ）の矢印Ｇで示す方向から見た図であり、図２４（ｃ）は、図２４（ａ）の矢印Ｈで示す方向から見た図である。
【００４５】
図２３（ａ）乃至図２３（ｃ）および図２４（ａ）乃至図２４（ｃ）に示すように、吸込ケーシング１０を回転軸１を中心に回転させることができるので、吸込ケーシング１０を交換することなく、吸込ポート１１の位置を変えることができる。したがって、多段ポンプに接続される配管の配置に合わせて、吸込ポート１１の位置を最適にすることができる。なお、図示しないが、吐出しケーシング３０を回転軸１を中心に回転させることにより、吐出しポート３１の位置を変えることも可能である。
【００４６】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００４７】
１      回転軸
２      羽根車
３      ポンプケーシング
４      ディフューザ
６      通しボルト
７      ナット
９      軸受
１０      吸込ケーシング
１１      吸込ポート
１６      第１の吸込側接続ポート
１７      第２の吸込側接続ポート
３０      吐出しケーシング
３６      第１の吐出し側接続ポート
３７      第２の吐出し側接続ポート
３１      吐出しポート
５０      中間ケーシング
５５      軸封機構
６５      軸受ケーシング
６６      冷却パイプ
７０      バランス機構
７３      バランス室
７５      バランス配管
８０,８１    脚部
【図１】
0005751955.tif 000002
【図２】
0005751955.tif 000003
【図３】
0005751955.tif 000004
【図４】
0005751955.tif 000005
【図５】
0005751955.tif 000006
【図６】
0005751955.tif 000007
【図７】
0005751955.tif 000008
【図８】
0005751955.tif 000009
【図９】
0005751955.tif 000010
【図１０】
0005751955.tif 000011
【図１１】
0005751955.tif 000012
【図１２】
0005751955.tif 000013
【図１３】
0005751955.tif 000014
【図１４】
0005751955.tif 000015
【図１５】
0005751955.tif 000016
【図１６】
0005751955.tif 000017
【図１７】
0005751955.tif 000018
【図１８】
0005751955.tif 000019
【図１９】
0005751955.tif 000020
【図２０】
0005751955.tif 000021
【図２１】
0005751955.tif 000022
【図２２】
0005751955.tif 000023
【図２３】
0005751955.tif 000024
【図２４】
0005751955.tif 000025